(57)【要約】本発明は、いくつかの印刷ステーションと、少なくとも１つの前処理ステーションおよび／または後処理ステーションと、印刷物を取り上げるための、およびこの印刷物を各ステーションに搬送するための、いくつかの印刷物キャリアとを有する、印刷材料に印刷するための印刷システムおよび方法に関する。本発明によると、各印刷物キャリアの独立移動のために、印刷物キャリアの各々はそれぞれ専用の駆動装置と、操向可能シャシーと、制御ユニットとを有し、各ステーションは搬送面上に配置され、各印刷物キャリアは搬送面上を自由に移動可能であると規定される。【選択図】図１
2022500272.tif 000002
【特許請求の範囲】
【請求項１】
印刷材料に印刷するための印刷システムであって、
−  いくつかのデジタル印刷ステーション（１４）と、
−  少なくとも１つの前処理ステーションおよび／または後処理ステーション（１８、２０、２２）と、
−  印刷物を取り上げるための、および前記印刷物を前記ステーション（１６、１８、２０、２２）に搬送するための、いくつかの印刷物キャリア（４０）と、
を有する印刷システムにおいて、
−  前記印刷物キャリア（４０）の各々は、前記印刷物キャリア（４０）の独立移動のために、それぞれ専用の駆動装置と、操向可能シャシー（４２）と、制御ユニットとを有し、
−  前記ステーション（１４、１６、１８、２０、２２）は搬送面（１２）上に配置され、前記印刷物キャリア（４０）は前記搬送面（１２）上で自由に移動可能である、
ことを特徴とする印刷システム。
【請求項２】
前記印刷物を前記印刷物キャリア（４０）に装填するための少なくとも１つの装填ステーション（３０）、および／または前記印刷された印刷物を前記印刷物キャリア（４０）から取り出すための少なくとも１つの取り出しステーション（３８）、が設けられることを特徴とする、請求項１に記載の印刷システム。
【請求項３】
前記印刷物キャリア（４０）の前記制御ユニットは、取り上げられた前記印刷物の印刷指令のための指令データを受信するための受信装置（４６）を有することを特徴とする、請求項１または２に記載の印刷システム。
【請求項４】
指令データを送信するための送信装置（３２）が前記装填ステーション（３０）に設けられることを特徴とする、請求項２または３に記載の印刷システム。
【請求項５】
前記ステーション（１４、１６、１８、２０、２２、３０、３８）に接続される中央コンピュータユニットが設けられることを特徴とする、請求項１〜４の何れか一項に記載の印刷システム。
【請求項６】
前記ステーション（１４、１６、１８、２０、２２、３０、３８）は、前記ステーションの利用率に関する情報データを前記中央コンピュータユニット、および／または前記印刷物キャリア（４０）の前記制御ユニット、に送信するデータ送信装置をそれぞれ有することを特徴とする、請求項５に記載の印刷システム。
【請求項７】
前記中央コンピュータユニットは、前記移動可能な印刷物キャリア（４０）へのデータ接続を有することを特徴とする、請求項５または６に記載の印刷システム。
【請求項８】
前記印刷物キャリア（４０）の前記駆動装置は電気駆動装置として形成されること、および前記印刷物キャリア（４０）は充電式電池を有すること、を特徴とする、請求項１〜７の何れか一項に記載の印刷システム。
【請求項９】
前記印刷物キャリア（４０）の前記電池に充電するために形成された充電ステーション（３４）が少なくとも１つ設けられることを特徴とする、請求項８に記載の印刷システム。
【請求項１０】
少なくとも１つの乾燥ステーション（２０）、および／または少なくとも１つのプレスステーション、および／または少なくとも１つのフロック加工ステーション、および／または少なくとも１つのスクリーン印刷ステーション（２４）、および／または少なくとも更なる加工ステーションが設けられることを特徴とする、請求項１〜９の何れか一項に記載の印刷システム。
【請求項１１】
前記指令を処理するために訪れられた前記ステーション（１４、１６、１８、２０、２２）は前記制御ユニットによって記憶可能であること、および、品質保証目的のために、前記印刷された印刷物の印刷結果と使用された前記ステーション（１４、１６、１８、２０、２２）とを比較する評価ユニットが設けられること、を特徴とする、請求項１〜１０の何れか一項に記載の印刷システム。
【請求項１２】
特に、請求項１〜１１の何れか一項に記載の印刷システム（１０）によって、印刷物に印刷する方法であって、
前記印刷物に印刷するために、いくつかのデジタル印刷ステーション（１４）と少なくとも１つの前処理ステーションおよび／または後処理ステーション（１６、１８、２０、２２）とが設けられ、前記印刷物の各々が印刷物キャリア（４０）上に配置され、前記印刷物キャリア（４０）によって前記ステーション（１６、１８、２０、２２）に搬送される、方法において、
前記印刷物キャリア（４０）の各々がそれぞれ専用の駆動装置と、操向可能シャシー（４２）と、制御ユニットとを有し、これらによって前記印刷物キャリア（４０）が互いに独立に移動され、
前記ステーション（１４、１６、１８、２０、２２）は搬送面（１２）上に配置され、前記印刷物キャリア（４０）は前記搬送面（１２）上で個々のステーション（１４、１６、１８、２０、２２）に自由に移動される、
ことを特徴とする方法。
【発明の詳細な説明】
【技術分野】
【０００１】
本発明は、印刷材料に印刷するための印刷システムであって、請求項１の前提部分によると、いくつかのデジタル印刷ステーションと、少なくとも１つの前処理ステーションおよび／または後処理ステーションと、印刷物を取り上げるための、およびこの印刷物を各ステーションに搬送するための、いくつかの印刷物キャリアとを有する印刷システムに関する。
【０００２】
本発明は、印刷物に印刷するための方法であって、請求項１２の前提部分によると、印刷のためにいくつかのデジタル印刷ステーションと少なくとも１つの前処理ステーションおよび／または後処理ステーションとが設けられ、印刷物が印刷物キャリア上にそれぞれ配置され、これによって各ステーションに搬送される方法に更に関する。
【背景技術】
【０００３】
一般的な種類の印刷システムが、例えば特許文献１によって開示されている。この公知の印刷機では、印刷対象の布地が印刷物として印刷物キャリア上に載置される。展張された布地を有する印刷物キャリアは、コンベアベルトに沿って一列に載置されたいくつかのデジタル印刷ステーションを通過する。例えば前処理または後処理のための、更なる加工ステーションをコンベアベルトに沿って配置できる。このような印刷システムが効率的に稼働するのは、多くの印刷物が全く同じに印刷される場合である。
【０００４】
複数の布地の、例えば複数のＴシャツの、個々の印刷においては、例えば第１の布地を１色でのみ印刷し、次の布地を数色で印刷することが必要になることもあり得る。一部の布地は前処理、例えば下塗り、を必要とし、別の布地は必要としないという場合もあり得る。ただし、全ての布地が全てのステーションを通過するので、全ての布地についての時間消費がほぼ一様に高く、このような印刷システムの効率は低下する。
【０００５】
ベースフレームに沿った楕円形の円周レールに沿って複数の印刷ステーションが配置されている印刷機が特許文献２から公知である。更に、印刷対象の被加工物を円周レールに沿って個々の印刷ステーションに搬送する印刷物キャリアが複数設けられている。融通性を高めるために、この印刷機に関して、各印刷物キャリアが駆動装置を具備している。この駆動装置は、接点接続を介して電気エネルギー源に接続されている。更に、各印刷物キャリアは、印刷物キャリアを駆動するための駆動輪を少なくとも１つ有する。この駆動輪は、摩擦または形状係止によってガイドレールに係合している。融通性の向上にも拘らず、例えば複数色での印刷が必要な被加工物が印刷機を通過する場合、印刷機による総スループットが決まる。
【０００６】
特許文献３は、印刷テーブルを１つ有する印刷装置を開示している。このテーブル上に２つのパレットが互いに平行に、セットアップステーションと印刷ステーションとの間で移動可能に、支持されている。
【先行技術文献】
【特許文献】
【０００７】
【特許文献１】国際公開第２００９／１４６７６７（Ａ１）号
【特許文献２】欧州特許第２  ５０９  ７９１（Ｂ１）号
【特許文献３】欧州特許出願公開第３  １２１  ０１５（Ａ１）号
【発明の概要】
【課題を解決するための手段】
【０００８】
本発明の目的は、個々に違えて印刷する必要がある印刷材料でも高効率で印刷できる、印刷材料に印刷するための印刷システムおよび方法を規定することである。
【０００９】
上記目的は、本発明によると、請求項１の特徴を有する印刷システムおよび請求項１２の特徴を有する方法によって達成される。本発明の複数の好適な実施形態が従属請求項に規定されている。
【００１０】
本発明による印刷システムは、各印刷物キャリアの独立移動のために、印刷物キャリアの各々がそれぞれ専用の駆動装置と、操向可能シャシーと、制御ユニットとを有すること、および各ステーションが搬送面上に配置され、各印刷物キャリアが搬送面上を自由に移動可能であることを特徴とする。
【００１１】
本発明の一基本思想は、全ての印刷物キャリアのための１つの直線状コンベア軌道を脱却し、全ての印刷物キャリアを自由に移動可能な印刷物キャリアとして形成することにある。この目的のために、各印刷物キャリアの独立移動のために、印刷物キャリアの各々はそれぞれ専用の駆動装置と、操向可能シャシーと、制御ユニットとを有する。
【００１２】
本発明の別の態様によると、個々のステーションは、もはや互いに直線状に、または順次、配置されず、搬送面上に広く分散して位置付けられ、搬送面上で各印刷物キャリアを自由に、または任意に、移動させることができる。
【００１３】
したがって、本発明の一態様によると、個々の印刷物キャリアは、自由に、および指令データにのみ応じて、印刷システムの適切な、および自由に利用可能な、ステーションに向かうことができる。これにより、先入れ先出し原則は無効にされ、複数の印刷タスクの順次処理から脱却する。したがって、例えば単一色で印刷される印刷物を有する印刷物キャリアが、先に起動された、いくつかの印刷ステーションを通過する必要がある印刷物キャリアを追い越すことができる。したがって、印刷材料を時間効率よく印刷できると同時に、個々の印刷および加工ステーションを効率的に使用できる。
【００１４】
本発明の別の利点は、特に、他の必要な印刷ステーションまたは加工ステーションを追加することによって、印刷システム全体を相対的に容易に容量変化に適合化できるという事実にある。
【００１５】
本発明の好適な一実施形態は、印刷物を印刷物キャリアに装填するための少なくとも１つの装填ステーション、および／または印刷された印刷物を印刷物キャリアから取り出すための少なくとも１つの取り出しステーション、を設けることにある。これら装填または取り出しステーションには、手作業での装填または取り出しのための作業者を配備できる。これら装填ステーションを部分的に自動化または完全に自動化して配備することもできる。この場合、例えば装填ロボットが印刷物、例えばＴシャツ、を貯蔵部から取り出し、これを印刷物キャリアに供給する。
【００１６】
印刷材料に関して、布地、特に、Ｔシャツ、スウェットシャツ、等々などの衣類、が用意されることが好ましい。ただし、本発明は、布地の印刷に限定されず、特に、皮革、木材、石、セラミック、金属部品、段ボール箱、プラスチック、または他の個々の物品にも使用可能である。
【００１７】
本発明の別の好適な具現化変形例は、印刷物キャリアの制御ユニットは、取り上げられた印刷物の印刷指令のための指令データを受信するための受信装置を有することに見られる。この場合、この受信装置は、例えば装填ステーションへのデータ送信のために、接触式で、または好ましくは非接触式で、動作できる。受信ユニットは、特にスキャナとすることができる。
【００１８】
この場合、指令データの送信および／または表示のために、送信装置が装填ステーションに設けられると特に有利である。したがって、印刷物の取り上げ時、移動可能な印刷物キャリアは、全ての必要な指令データを、ひいては個々の印刷および加工ステーションのうちのどこに行くべきかについての必要な情報を、受信する。存在するステーションは、印刷物キャリアの制御ユニットの適切なメモリに記憶可能である。
【００１９】
本発明の別の展開によると、各ステーションに接続される中央コンピュータユニットが設けられると特に好都合である。したがって、全てのステーションの稼働状態を中央コンピュータユニットを介して照会し、対応するデータを各ステーションに送信することができる。
【００２０】
本発明の別の実施形態によると、特に効率的な稼働モードでは、各ステーションは、ステーションの利用率に関する情報を中央コンピュータユニットに、および／または印刷物キャリアの制御ユニットに、送信するデータ送信装置を有する。
【００２１】
この場合、特に好都合であるのは、中央コンピュータユニットが移動可能な各印刷物キャリアへのデータ接続を有することである。
【００２２】
これにより、移動可能な各印刷物キャリアの制御ユニットは、発行された指令を効率的に処理するために必要な全必要情報を受信する。設定された条件に基づき、制御ユニットまたは中央コンピュータユニットは、印刷指令を履行するために、どのステーションを、および個々のステーションをどの順番で、訪れるべきかを自律的に決定できる。
【００２３】
原則として、各印刷物キャリアは、何れか適した駆動装置を備えることができる。特に、誘起駆動および／または少なくとも誘導エネルギー供給を搬送面によってもたらすことができる。本発明の別の展開によると、印刷物キャリアの駆動装置が電気駆動装置として形成され、印刷物キャリアが充電式電池を有すると特に有利である。この場合、電池をリチウムイオン電池にできると好ましい。リチウムイオン電池は極めて強力であり、相対的に安価なエネルギー貯蔵体を構成する。
【００２４】
ここで特に好都合であるのは、印刷物キャリアの電池を充電するために形成された充電ステーションが少なくとも１つ設けられることである。充電ステーションは、加工ステーションと組み合わせることも、または別個の充電または整備ステーションとすることもできる。特に、複数の充電ステーションを搬送面に配置できる。ここで、各印刷物キャリアの制御ユニットまたは中央コンピュータユニットは、移動可能な印刷物キャリアがどの充電ステーションを何時訪れるべきかを決定する。この決定は、電池の残存容量および各充電ステーションにおける空き容量に応じて行うことができる。
【００２５】
本発明による印刷システムに好ましくは複数のデジタル印刷ステーションが配備される場合でも、適切であれば、更に、または代わりに、他の印刷ステーションまたは種々多様な加工ステーションを設けることもできる。この場合、少なくとも１つの乾燥ステーション、および／または少なくとも１つのプレスステーション、および／または少なくとも１つのフロック加工ステーション、および／または少なくともスクリーン印刷ステーション、および／または少なくとも別の加工ステーションが設けられると特に好ましい。
【００２６】
塗布された下塗層またはインクを乾燥させるために、印刷中または印刷後に、乾燥ステーションが使用される。塗布されたメジウムの、特にインクの、更なる定着のために、プレスステーションを使用できる。繊維面を有する特定の印刷のために、繊維または他のデザイン要素を貼着するための所謂フロック加工ステーションを設けることができる。より大量のインクまたは他の物質の高速塗布のために、印刷スクリーンを有するスクリーン印刷ステーションを配置できる。この場合、プライマ、特に例えば白色プライマ、を暗色または黒色の布地に塗布するために、スクリーン印刷が特に有利である。
【００２７】
本発明の別の展開によると、指令の処理のために訪れられた各ステーションを制御ユニットが記憶でき、品質保証目的のために、印刷対象の印刷物の印刷結果と使用されたステーションとを比較する評価ユニットが設けられると有利である。
【００２８】
品質保証中に印刷結果に不具合が検出された場合は、不良印刷を回避するために、どのステーションを整備すべきか、またはオフに切り換えるべきかを、記憶されている処理データと使用されたステーションとによって、判定できる。品質保証の適切な自動化によって、例えば、画像処理システムを有するカメラシステムによって、印刷結果における初期異常でも素早く判定できるので、個々のステーションの迅速整備によって、不具合のない印刷動作を実現できる、または少なくとも目指すことができる。
【００２９】
本発明による方法は、印刷物キャリアの各々がそれぞれ専用の駆動装置と、操向可能シャシーと、制御ユニットとを有すること、各印刷物キャリアが互いに独立に移動されること、および各ステーションが搬送面に配置され、搬送面上で各印刷物キャリアが個々のステーションに自由に移動されることを特徴とする。
【００３０】
本発明による方法は、本発明による、特に上記の、印刷システムによって実施可能である。この場合、前記の諸利点を実現できる。
【００３１】
図面に模式的に示されている好適な一例示的実施形態によって、本発明を更に説明する。
【図面の簡単な説明】
【００３２】
【図１】本発明による印刷システムを示す模式平面図
【発明を実施するための形態】
【００３３】
唯一の図面には、本発明による印刷システム１０が大幅に縮小されたスケールで平面図に模式的に示されている。
【００３４】
印刷システム１０は、搬送面１２を有する。これは、特に工場の床とすることができる。搬送面１２上に配置されるのは、複数の移動可能な印刷物キャリア４０である。各キャリア４０は、箱状の操向可能シャシー４２と、印刷対象の印刷物、特にＴシャツ、のための上部取り上げ面とを有する。取り上げ面は、固定された、または取り外し可能な、パレットを有し得る。操向可能シャシー４２とは、操向用車軸を有する機械式操向機構として、および固定車軸を有する単輪制御または別の適切な操向装置として、理解されるものとする。移動可能な印刷物キャリア４０は、詳細には図示されていない電気駆動装置を有する。この電気駆動装置は、充電式電池によってエネルギーが供給される。更に、印刷物キャリア４０は、ボットとしても描写可能であり、指令データを受信するための受信または読み取り装置を有する。
【００３５】
印刷物が自動的に、または作業者によって、パレットと共に、またはパレット無しに、印刷物キャリア４０上の取り上げ面に載置されると、適切な送信装置３２を備えた装填ステーション３０において指令データが記憶され得る。ここで、装填ステーション３０に直接設けられた貯蔵部５から布地を取り出すことができる。記載の例示的実施形態において、複数の印刷物キャリア４０への装填のための装填ステーション３０は、同時に、印刷物キャリア４０の電池に電気エネルギーを充電するための充電ステーション３４として形成される。ただし、他の複数の充電ステーション３４を装填ステーション３０とは別個に搬送面１２上に設けることもできる。
【００３６】
更に、監視装置、特にカメラシステム、を装填ステーション３０に設けることができる。この監視装置によって、印刷物キャリア４０上への印刷物の正しい、特に折り目の無い、載置をチェックできる。装填中に不具合が検出された場合、その印刷物キャリア４０は、不具合の修正のために、再び装填ステーション３０に直ちに戻る。
【００３７】
装填ステーション３０から送信された指令データに応じて、印刷物キャリア４０の制御ユニットは、場合によっては中央コンピュータユニットの影響下で、搬送面１２上のどのステーションを訪れるべきかを決定する。
【００３８】
したがって、印刷物キャリア４０は、初めに前処理ステーション１６を訪れることができる。そこで、印刷物は、その後の印刷のために、最初に公知の方法で前処理される。その後、印刷物キャリア４０は、印刷物と共に、１つ以上のデジタル印刷ステーション１４を訪れることができる。そこで、デジタルインクジェット印刷ヘッドによって、１つ以上の色が印刷物に塗布される。ここで、これらデジタル印刷ステーション１４は、印刷物キャリア４０が直線状に通過するスループット印刷ステーション１４ａとして形成可能である。代わりに、または加えて、印刷物キャリア４０は、印刷物と共に、ローカルプリンタ１４ｂに向かうこともできる。そこで、印刷物を有する印刷物キャリア４０は、印刷工程中、印刷位置に静止している。デジタル印刷後、印刷物キャリア４０は、ローカルプリンタ１４ｂの印刷位置を再び離れる。
【００３９】
記載の例示的実施形態において、印刷物キャリア４０は、印刷指令に応じて、１つ以上のスクリーン印刷ステーション２４を訪れることもできる。そこで、例えば、白色背景、前処理、グリッターなどの特殊効果、フィルム、接着剤、ＨＤ、等々を施すことができる。この場合、スクリーン印刷ステーション２４に自動スクリーン切り換え装置を設けることができる。
【００４０】
後処理用に、ドライヤなどの更なるステーションを設けることもできる。
【００４１】
記載の印刷システム１０の例示的実施形態において、印刷物キャリア４０は、最後の印刷および加工ステップの後に、取り出しステーション３８を訪れる。取り出しステーション３８の下流に、乾燥ステーション２０が接続されている。取り出しステーション３８において、印刷された印刷物を単独で、または取り外し可能なパレットと共に、印刷物キャリア４０から取り出し、移送装置３９を介して最終乾燥ステーション２０と包装ステーション２２とを通過させることができる。その後、完成して包装された印刷物を移送装置３９から発送ステーション６に運ぶことができる。
【００４２】
取り出しステーション３８には、品質検査のために、適切な装置、特にカメラシステム、を同様に設けることができる。品質不良が検出された場合は、不良品を取り除くことができる、または印刷物を有する印刷物キャリア４０を、後加工のために、上流ステーションのうちの１つに、特に装填ステーション３０にも、戻すことができる。
【００４３】
完成した印刷製品が印刷物キャリア４０から取り出された後、印刷物キャリア４０は、別の加工動作のために、装填ステーション３０に再び戻ることができる。
【図１】
2022500272.tif 000003
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
印刷材料に印刷するための印刷システムであって、
−  いくつかのデジタル印刷ステーション（１４）と、
−  少なくとも１つの前処理ステーションおよび／または後処理ステーション（１８、２０、２２）と、
−  印刷物を取り上げるための、および前記印刷物を前記ステーション（１６、１８、２０、２２）に搬送するための、いくつかの印刷物キャリア（４０）と、
を有する印刷システムにおいて、
−  前記印刷物キャリア（４０）の各々は、搬送面（１２）としての工場の床での前記印刷物キャリア（４０）の独立移動のために、それぞれ専用の駆動装置と、操向可能シャシー（４２）と、制御ユニットとを有し、
−  前記ステーション（１４、１６、１８、２０、２２）は前記搬送面（１２）上に配置され、前記印刷物キャリア（４０）は前記搬送面（１２）上で自由に移動可能である、
ことを特徴とする印刷システム。
【請求項２】
前記印刷物を前記印刷物キャリア（４０）に装填するための少なくとも１つの装填ステーション（３０）、および／または前記印刷された印刷物を前記印刷物キャリア（４０）から取り出すための少なくとも１つの取り出しステーション（３８）、が設けられることを特徴とする、請求項１に記載の印刷システム。
【請求項３】
前記印刷物キャリア（４０）の前記制御ユニットは、取り上げられた前記印刷物の印刷指令のための指令データを受信するための受信装置（４６）を有することを特徴とする、請求項１または２に記載の印刷システム。
【請求項４】
指令データを送信するための送信装置（３２）が前記装填ステーション（３０）に設けられることを特徴とする、請求項２または３に記載の印刷システム。
【請求項５】
前記ステーション（１４、１６、１８、２０、２２、３０、３８）に接続される中央コンピュータユニットが設けられることを特徴とする、請求項１〜４の何れか一項に記載の印刷システム。
【請求項６】
前記ステーション（１４、１６、１８、２０、２２、３０、３８）は、前記ステーションの利用率に関する情報データを前記中央コンピュータユニット、および／または前記印刷物キャリア（４０）の前記制御ユニット、に送信するデータ送信装置をそれぞれ有することを特徴とする、請求項５に記載の印刷システム。
【請求項７】
前記中央コンピュータユニットは、前記移動可能な印刷物キャリア（４０）へのデータ接続を有することを特徴とする、請求項５または６に記載の印刷システム。
【請求項８】
前記印刷物キャリア（４０）の前記駆動装置は電気駆動装置として形成されること、および前記印刷物キャリア（４０）は充電式電池を有すること、を特徴とする、請求項１〜７の何れか一項に記載の印刷システム。
【請求項９】
前記印刷物キャリア（４０）の前記電池に充電するために形成された充電ステーション（３４）が少なくとも１つ設けられることを特徴とする、請求項８に記載の印刷システム。
【請求項１０】
少なくとも１つの乾燥ステーション（２０）、および／または少なくとも１つのプレスステーション、および／または少なくとも１つのフロック加工ステーション、および／または少なくとも１つのスクリーン印刷ステーション（２４）、および／または少なくとも更なる加工ステーションが設けられることを特徴とする、請求項１〜９の何れか一項に記載の印刷システム。
【請求項１１】
前記指令を処理するために訪れられた前記ステーション（１４、１６、１８、２０、２２）は前記制御ユニットによって記憶可能であること、および、品質保証目的のために、前記印刷された印刷物の印刷結果と使用された前記ステーション（１４、１６、１８、２０、２２）とを比較する評価ユニットが設けられること、を特徴とする、請求項１〜１０の何れか一項に記載の印刷システム。
【請求項１２】
特に、請求項１〜１１の何れか一項に記載の印刷システム（１０）によって、印刷物に印刷する方法であって、
前記印刷物に印刷するために、いくつかのデジタル印刷ステーション（１４）と少なくとも１つの前処理ステーションおよび／または後処理ステーション（１６、１８、２０、２２）とが設けられ、前記印刷物の各々が印刷物キャリア（４０）上に配置され、前記印刷物キャリア（４０）によって前記ステーション（１６、１８、２０、２２）に搬送される、方法において、
前記印刷物キャリア（４０）の各々がそれぞれ専用の駆動装置と、操向可能シャシー（４２）と、制御ユニットとを有し、これらによって前記印刷物キャリア（４０）が搬送面（１２）としての工場の床で互いに独立に移動され、
前記ステーション（１４、１６、１８、２０、２２）は前記搬送面（１２）上に配置され、前記印刷物キャリア（４０）は前記搬送面（１２）上で個々のステーション（１４、１６、１８、２０、２２）に自由に移動される、
ことを特徴とする方法。
【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
印刷材料に印刷するための印刷システムであって、
−  いくつかのデジタル印刷ステーションと、
−  少なくとも１つの前処理ステーションおよび／または後処理ステーションと、
−  印刷物を取り上げるための、および前記印刷物を前記ステーションに搬送するための、いくつかの印刷物キャリアと、
を有する印刷システムであって、
−  前記印刷物キャリアの各々は、搬送面としての工場の床での前記印刷物キャリアの独立移動のために、それぞれ専用の駆動装置と、操向可能シャシーと、制御ユニットとを有し、
−  前記ステーションは前記搬送面上に配置され、前記印刷物キャリアは前記搬送面上で自由に移動可能である、
印刷システム。
【請求項２】
前記印刷物を前記印刷物キャリアに装填するための少なくとも１つの装填ステーション、および／または前記印刷された印刷物を前記印刷物キャリアから取り出すための少なくとも１つの取り出しステーション、が設けられる、請求項１に記載の印刷システム。
【請求項３】
前記印刷物キャリアの前記制御ユニットは、取り上げられた前記印刷物の印刷指令のための指令データを受信するための受信装置を有する、請求項１に記載の印刷システム。
【請求項４】
指令データを送信するための送信装置が前記装填ステーションに設けられる、請求項２に記載の印刷システム。
【請求項５】
前記ステーションに接続される中央コンピュータユニットが設けられる、請求項１に記載の印刷システム。
【請求項６】
前記ステーションは、前記ステーションの利用率に関する情報データを前記中央コンピュータユニット、および／または前記印刷物キャリアの前記制御ユニット、に送信するデータ送信装置をそれぞれ有する、請求項５に記載の印刷システム。
【請求項７】
前記中央コンピュータユニットは、前記移動可能な印刷物キャリアへのデータ接続を有する、請求項５に記載の印刷システム。
【請求項８】
前記印刷物キャリアの前記駆動装置は電気駆動装置として形成され、前記印刷物キャリアは充電式電池を有する、請求項１に記載の印刷システム。
【請求項９】
前記印刷物キャリアの前記電池に充電するために形成された充電ステーションが少なくとも１つ設けられる、請求項８に記載の印刷システム。
【請求項１０】
少なくとも１つの乾燥ステーション、および／または少なくとも１つのプレスステーション、および／または少なくとも１つのフロック加工ステーション、および／または少なくとも１つのスクリーン印刷ステーション、および／または少なくとも更なる加工ステーションが設けられる、請求項１に記載の印刷システム。
【請求項１１】
前記指令を処理するために訪れられた前記ステーションは前記制御ユニットによって記憶可能であり、品質保証目的のために、前記印刷された印刷物の印刷結果と使用された前記ステーションとを比較する評価ユニットが設けられる、請求項１に記載の印刷システム。
【請求項１２】
特に、請求項１に記載の印刷システムによって、印刷物に印刷する方法であって、
前記印刷物に印刷するために、いくつかのデジタル印刷ステーションと少なくとも１つの前処理ステーションおよび／または後処理ステーションとが設けられ、前記印刷物の各々が印刷物キャリア上に配置され、前記印刷物キャリアによって前記ステーションに搬送され、
前記印刷物キャリアの各々がそれぞれ専用の駆動装置と、操向可能シャシーと、制御ユニットとを有し、これらによって前記印刷物キャリアが搬送面としての工場の床で互いに独立に移動され、
前記ステーションは前記搬送面上に配置され、前記印刷物キャリアは前記搬送面上で個々のステーションに自由に移動される、
方法。
【国際調査報告】
2022500272.tif 000004
2022500272.tif 000005
2022500272.tif 000006
2022500272.tif 000007